(57)【要約】【課題】  本発明は、ダンパローラに邪魔されることなく、両手で印字用紙の装着作業を行うことができ、簡単、且つ確実に印字用紙を装着することができるプリンタを提供することを課題とする。【解決手段】  セット位置から、トーションスプリング５４の付勢力に抗してダンパホルダ５２を反時計回りに回動させ、ダンパホルダ５２から突出した係合軸５８をストッパ７に係止させることにより、タンパ部５を、退避位置に保持させる。タンパ部５が退避位置にある時には、ダンパローラ５３が印字用紙の搬送経路の上方に退避していると共に、ガイド板５５も印字用紙の搬送経路の上方に退避している。従って、印字用紙（ロール紙）を側方から装着する際に、障害となるものが存在せず、印字用紙（ロール紙）を簡単に装着することができる。【選択図】        図３
2005238752.tif 000002
【特許請求の範囲】
【請求項１】
ロール紙から引き出した印字用紙に印字を行うプリンタであって、
引き出した前記印字用紙に所定範囲の張力を与えて、前記印字用紙の引き出しにかかる負荷の変動を抑えるダンパ手段と、
該ダンパ手段を前記印字用紙の搬送経路から退避させた退避位置に係止する係止手段と、
該係止手段による前記ダンパ手段の係止を解除する解除手段とを具備することを特徴とするプリンタ。
【請求項２】
前記ダンパ手段は、側板に片持ち支持されたダンパ支持軸に回動自在に支持されたダンパホルダと、
該ダンパホルダの自由端側に回転自在に支持されたダンパローラと、
前記ダンパローラが前記印字用紙を押圧する方向に前記ダンパホルダを付勢する付勢手段とからなることを特徴とする請求項１記載のプリンタ。
【請求項３】
前記ダンパホルダには、前記印字用紙の搬送をガイドするガイド板が設けられており、
前記ダンパ手段が前記退避位置に係止されている際には、前記ガイド板も前記印字用紙の搬送経路から退避されることを特徴とする請求項２記載のプリンタ。
【発明の詳細な説明】
【技術分野】
【０００１】
本発明は、印字用紙が巻き回されたロール紙を使用するプリンタに関し、特に印字用紙の引き出しにかかる負荷の変動を抑えるためのダンパローラを有するプリンタに関する。
【背景技術】
【０００２】
用紙供給軸に支持されたロール紙をプラテンローラの回転によって引き出し、引き出した印字用紙をサーマルヘッドとプラテンローラとで挟持して印字を行うプリンタにおいては、プラテンローラを逆回転させて印字用紙を戻し方向に搬送する際や、印字スピード（搬送速度）の変化によって、引き出された印字用紙に弛みが生じる。印字用紙の弛みが生じると、次の印字の時に、弛みがなくなるまでは軽い力で印字用紙が搬送され、弛みがなくなった時点で急にロール紙にテンションがかかるため、印字用紙の引き出しにかかる負荷が急変し、印字位置ずれや印字伸縮等の印字精度の低下をきたしてしまう。
【０００３】
そこで、サーマルヘッドの上流側に配置したダンパローラを印字用紙の方向に付勢することで印字用紙を押圧し、引き出された印字用紙に所定範囲の張力を与えて、印字用紙の引き出しにかかる負荷の変動を抑える構成が採用されている（例えば、特許文献１参照）。
【０００４】
しかしながら、従来技術では、印字用紙を装着する際にダンパローラが印字用紙の搬送経路に存在するため、片手でダンパローラを押さえながら、他方の手のみで印字用紙を装着しなければならず、印字用紙の装着作業が難しいものになってしまい、簡単に印字用紙の装着を行うことができないという問題点があった。
【特許文献１】特開２０００−０１６６５１号公報
【発明の開示】
【発明が解決しようとする課題】
【０００５】
本発明は斯かる問題点を鑑みてなされたものであり、その目的とするところは、ダンパローラに邪魔されることなく、両手で印字用紙の装着作業を行うことができ、簡単、且つ確実に印字用紙を装着することができるプリンタを提供する点にある。
【課題を解決するための手段】
【０００６】
本発明は上記課題を解決すべく、以下に掲げる構成とした。
請求項１記載の発明の要旨は、ロール紙から引き出した印字用紙に印字を行うプリンタであって、引き出した前記印字用紙に所定範囲の張力を与えて、前記印字用紙の引き出しにかかる負荷の変動を抑えるダンパ手段と、該ダンパ手段を前記印字用紙の搬送経路から退避させた退避位置に係止する係止手段と、該係止手段による前記ダンパ手段の係止を解除する解除手段とを具備することを特徴とするプリンタに存する。
また請求項２記載の発明の要旨は、前記ダンパ手段は、側板に片持ち支持されたダンパ支持軸に回動自在に支持されたダンパホルダと、該ダンパホルダの自由端側に回転自在に支持されたダンパローラと、前記ダンパローラが前記印字用紙を押圧する方向に前記ダンパホルダを付勢する付勢手段とからなることを特徴とする請求項１記載のプリンタに存する。
また請求項３記載の発明の要旨は、前記ダンパホルダには、前記印字用紙の搬送をガイドするガイド板が設けられており、前記ダンパ手段が前記退避位置に係止されている際には、前記ガイド板も前記印字用紙の搬送経路から退避されることを特徴とする請求項２記載のプリンタに存する。
【発明の効果】
【０００７】
本発明のプリンタは、ダンパローラが退避位置に保持されるように構成することにより、ダンパローラを印字用紙の搬送経路から退避させた状態で、両手で印字用紙の装着作業を行うことができるため、ダンパローラに邪魔されることなく、確実に且つ簡単に印字用紙を装着することができるという効果を奏する。
【発明を実施するための最良の形態】
【０００８】
以下、本発明の実施の形態を図面に基づいて詳細に説明する。
【０００９】
図１は、本発明に係るプリンタの実施の形態の構成を示す概略側面図であり、図２は、図１に示すダンパ部がセット位置にある時の状態を示す概略斜視図であり、図３は、図１に示すダンパ部が退避位置にある時の状態を示す概略斜視図であり、図４は、図１に示すダンパローラの構成を示す断面図である。
【００１０】
本実施の形態のプリンタは、図１を参照すると、印字用紙１１が巻き回されたロール紙１を支持する用紙供給軸２と、ロール紙１から印字用紙１１を引き出すプラテンローラ３と、引き出された印字用紙１１をプラテンローラ３との間に挟持して、印字用紙１１に印字するサーマルヘッド４と、印字用紙１１の引き出しにかかる負荷の変動を抑えるダンパ部５とからなり、ダンパ部５は、ダンパ支持軸５１を中心に回動自在に支持されたダンパホルダ５２に回転自在に支持されたダンパローラ５３が印字用紙１１を押圧する構成となっている。なお、印字用紙１１として、ラベルが所定間隔で帯状台紙に仮着されているラベル連続体を用いても良い。
【００１１】
ダンパ部５は、図２および図３を参照すると、側板６に片持ち支持されたダンパ支持軸５１にダンパホルダ５２が回動自在に支持されており、ダンパホルダ５２の自由端側の両側にダンパローラ５３が回転自在に支持されている。ダンパ支持軸５１には、トーションスプリング５４が環装されており、トーションスプリング５４は、一端部が側板６に設けられたダンパ部回転規制凸部６１に、他端部がダンパホルダ５２にそれぞれ係合されて、ダンパホルダ５２を時計周りに、すなわちダンパホルダ５２の自由端側の両側に回転自在に支持されたダンパローラ５３を印字用紙１１に押圧する方向に付勢している。
【００１２】
ダンパホルダ５２には、引き出された印字用紙１１の搬送をガイドするガイド板５５が取り付けられており、印字用紙１１の搬送方向と直交する方向に形成されたガイド板案内口５６に沿ってガイドノブ５７を動かすことによって、ガイド板５５を印字用紙１１の搬送方向と直交する方向にスライドさせることができ、ガイドノブ５７を回転させることによって、ガイド板５５を固定できる構成となっている。
【００１３】
ダンパローラ５３は、図４を参照すると、ダンパホルダ５２の自由端側の両側に支持されている係合軸５８と共に回転するフリーローラであり、係合軸５８の側板６よりの端部は、図４（ａ）に示すように、側板６に設けられたストッパ７に係止されるようにダンパホルダ５２から突出しており、他端部には、リリースノブ５９が取り付けられている。係合軸５８は、軸方向に摺動可能であり、通常は、バネ６０の付勢力によって、図４（ａ）に示すように、側板６側の係合軸５８の端部がダンパホルダ５２から突出しており、バネ６０の付勢力に抗してリリースノブ５９を引っ張ることにより、図４（ｂ）に示すように、ダンパホルダ５２から突出した係合軸５８が引っ込むように構成されている。
【００１４】
次に、本実施の形態の印字用紙１１（ロール紙１）の装着動作について詳細に説明する。
図２には、ダンパ部５がセット位置にある時の状態が示されており、トーションスプリング５４によってダンパホルダ５２が時計回りに付勢されており、ダンパローラ５３が印字用紙１１に押圧され、引き出された印字用紙１１に所定範囲の張力を与えている。なお、ダンパローラ５３の下限位置は、ダンパホルダ５２の下限位置を規制するダンパ部回転規制凸部６１（図３参照）によって規制されている。
【００１５】
印字用紙１１（ロール紙１）の装着する際には、まず、ガイドノブ５７を動かすことによって、ガイド板５５を手前側、すなわち装着する印字用紙１１の最大幅に対応する位置に移動させる。
【００１６】
次に、図２に示すセット位置から、トーションスプリング５４の付勢力に抗してダンパホルダ５２を反時計回りに回動させ、ダンパホルダ５２から突出した係合軸５８をストッパ７に係止させることにより、タンパ部５を、図３に示す退避位置に保持させる。タンパ部５が退避位置にある時には、ダンパローラ５３が印字用紙１１の搬送経路の上方に退避していると共に、ガイド板５５も印字用紙１１の搬送経路の上方に退避している。従って、印字用紙１１（ロール紙１）を側方から装着する際に、障害となるものが存在せず、印字用紙１１（ロール紙１）を簡単に装着することができる。
【００１７】
印字用紙１１（ロール紙１）を装着後、リリースノブ５９を図３に矢印で示す方向に引っ張ることにより、ダンパホルダ５２から突出した係合軸５８が引っ込み、ストッパ７による係合軸５８の係止が解除され、トーションスプリング５４によってダンパホルダ５２が時計回りに付勢され、ダンパ部５が図２に示すセット位置に復帰する。
【００１８】
最後に、ガイドノブ５７を動かすことによって、ガイド板５５を装着する印字用紙１１の幅に対応する位置に移動させる。なお、以前使用していたものと同じ幅の印字用紙１１を装着する場合には、ガイド板５５の移動は省略しても良い。
【００１９】
以上説明したように、本実施の形態によれば、ダンパ部５が退避位置に保持されるように構成することにより、ダンパローラ５３を印字用紙１１の搬送経路から退避させた状態で、両手で印字用紙１１の装着作業を行うことができるため、ダンパローラ５３に邪魔されることなく、確実に且つ簡単に印字用紙１１を装着することができるという効果を奏する。
【００２０】
なお、本実施の形態では、ダンパホルダ５２から突出した係合軸５８を引っ込めることによって、ストッパ７による係合軸５８の係止が解除されるように構成したが、ストッパ７の方を動かしてストッパ７による係合軸５８の係止が解除されるように構成しても良く、また、ストッパ７による係合軸５８の係止を解除する機構を、印字用紙１１の交換の際に開けるドアと連動させ、ドアを閉める際にストッパ７による係合軸５８の係止が解除されるように構成しても良い。
【００２１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２２】
【図１】本発明に係るプリンタの実施の形態の構成を示す概略側面図である。
【図２】図１に示すダンパ部がセット位置にある時の状態を示す概略斜視図である。
【図３】図１に示すダンパ部が退避位置にある時の状態を示す概略斜視図である。
【図４】図１に示すダンパローラの構成を示す断面図である。
【符号の説明】
【００２３】
１  ロール紙
２  用紙供給軸
３  プラテンローラ
４  サーマルヘッド
５  ダンパ部（ダンパ手段）
６  側板
７  ストッパ（係止手段）
１１  印字用紙
５１  ダンパ支持軸
５２  ダンパホルダ
５３  ダンパローラ
５４  トーションスプリング（付勢手段）
５５  ガイド板
５６  ガイド板案内口
５７  ガイドノブ
５８  係合軸
５９  リリースノブ（解除手段）
６０  バネ
６１  ダンパ部回転規制凸部
【図１】
2005238752.tif 000003
【図２】
2005238752.tif 000004
【図３】
2005238752.tif 000005
【図４】
2005238752.tif 000006